(57)【要約】【課題】デスク又は机等の物体の角に配置させることが可能なポケットユニットを提供する。【解決手段】シートと、該シートの裏面の一縁部側に設けられており、物体に係止する係止部と、前記シートの表面にて前記一縁部の反対側に位置する他縁部側に設けられたポケットとを備えるポケットユニットにおいて、前記一縁部にＶ形状をなす切欠が形成されており、前記他縁部と前記切欠の尖端部分との間にて、前記シートは折り曲げ可能に構成されていることを特徴とするポケットユニット。【選択図】図２
2018086081.tif 000002
【特許請求の範囲】
【請求項１】
シートと、該シートの裏面の一縁部側に設けられており、物体に係止する係止部と、前記シートの表面にて前記一縁部の反対側に位置する他縁部側に設けられたポケットとを備えるポケットユニットにおいて、
前記一縁部にＶ形状をなす切欠が形成されており、
前記他縁部と前記切欠の尖端部分との間にて、前記シートは折り曲げ可能に構成されていること
を特徴とするポケットユニット。
【請求項２】
前記シートの裏面にて、前記切欠の尖端部分に前記係止部を非配置とする領域が設けられていること
を特徴とする請求項１に記載のポケットユニット。
【請求項３】
前記切欠は、二つの辺の寸法が等しくなるように形成されていること
を特徴とする請求項１又は２に記載のポケットユニット。
【請求項４】
前記切欠は、二つの辺が直角になるように形成されていること
を特徴とする請求項１から３のいずれか一つに記載のポケットユニット。
【請求項５】
前記ポケットの表面部はメッシュ状に構成されていること
を特徴とする請求項１から４のいずれか一つに記載のポケットユニット。
【請求項６】
前記他縁部に直角な方向に延びた領域にて、前記シートは折り曲げ可能に構成されていること
を特徴とする請求項１から５のいずれか一つに記載のポケットユニット。
【発明の詳細な説明】
【技術分野】
【０００１】
本発明は、物体、例えば机又はテーブル等に取り付けることができるポケットユニットに関する。
【背景技術】
【０００２】
従来、デスクの上に配置され、収納機能を有するデスクマットが提案されている。デスクマットは、デスク上面を覆う矩形の被覆部と、該被覆部の縁から垂下した垂下部とを備える。垂下部の表面には収納ポケットが形成されている。ユーザは収納ポケットに必要に応じて物を収納することができる（例えば特許文献１参照）。
【先行技術文献】
【特許文献】
【０００３】
【特許文献１】特許第３１１５０８９号公報
【発明の概要】
【発明が解決しようとする課題】
【０００４】
しかし、前記デスクマットは垂下部をデスクの角に配置するように構成されていない。
【０００５】
本発明は斯かる事情に鑑みてなされたものであり、デスク又は机等の物体の角に配置させることが可能なポケットユニットを提供することを目的とする。
【課題を解決するための手段】
【０００６】
本発明に係るポケットユニットは、シートと、該シートの裏面の一縁部側に設けられており、物体に係止する係止部と、前記シートの表面にて前記一縁部の反対側に位置する他縁部側に設けられたポケットとを備えるポケットユニットにおいて、前記一縁部にＶ形状をなす切欠が形成されており、前記他縁部と前記切欠の尖端部分との間にて、前記シートは折り曲げ可能に構成されていることを特徴とする。
【０００７】
本発明においては、シートの一縁部にＶ形状の切欠を形成し、切欠の尖端部分と他縁部との間において、シートを折り曲げ可能に構成し、例えばテーブルの角に沿ってシートを折り曲げる。
【０００８】
本発明に係るポケットユニットは、前記シートの裏面にて、前記切欠の尖端部分に前記係止部を非配置とする領域が設けられていることを特徴とする。
【０００９】
本発明においては、シートの裏面において、切欠の尖端部分に係止部を非配置とする領域を設ける。係止部を設けた部分は厚くなり、シートを折り曲げ難くなる。係止部を非配置とする領域を設けることによって、シートを折り曲げ易くする。
【００１０】
本発明に係るポケットユニットは、前記切欠は、二つの辺の寸法が等しくなるように形成されていることを特徴とする。
【００１１】
本発明においては、Ｖ形状の切欠を形成する二つの辺の寸法が等しいので、テーブル又はデスク等の上面に係止部を係止させる場合に、二つの辺を突き合わせて、二つの辺を略一致させることができる。
【００１２】
本発明に係るポケットユニットは、前記切欠は、二つの辺が直角になるように形成されていることを特徴とする。
【００１３】
矩形状をなす多数のテーブル又はデスク等が販売されているところ、本発明においては、Ｖ形状の切欠の二つの辺が直角を形成することによって、二つの辺を突き合わせて、テーブル又はデスク等の上面に係止部を係止させた場合に、ポケットユニット全体がテーブル又はデスク等の角に対応するように、直角に折り曲げて配置される。
【００１４】
本発明に係るポケットユニットは、前記ポケットの表面部はメッシュ状に構成されていることを特徴とする。
【００１５】
本発明においては、ポケットの表面部をメッシュ状に構成することによって、ポケットは伸縮性を有し、またポケットに収容された物をユーザは視認することができる。
【００１６】
本発明に係るポケットユニットは、前記他縁部に直角な方向に延びた領域にて、前記シートは折り曲げ可能に構成されていることを特徴とする。
【００１７】
本発明においては、前記他縁部に直角な方向に延びた領域にて、前記シートを折り曲げ可能に構成し、例えばテーブルの角に沿ったシートの折り曲げを実現する。
【発明の効果】
【００１８】
本発明に係るポケットユニットにあっては、シートの一縁部にＶ形状の切欠を形成し、切欠の尖端部分と他縁部との間において、シートが折り曲げ可能に構成されている。そのため、例えばテーブルの角に沿ってシートを折り曲げ、係止部をテーブルの上面に係止させて、ポケットユニットをテーブルに装着させることができる。ユーザは、必要に応じて、テーブルの角にポケットを設けることができる。
【図面の簡単な説明】
【００１９】
【図１】ポケットユニットを略示する表面図である。
【図２】ポケットユニットを略示する裏面図である。
【図３】図１のＩＩＩ−ＩＩＩ線を切断線とした断面図である。
【図４】ポケットユニットをテーブルの角に取り付けた状態を示す斜視図である。
【図５】ポケットユニットをテーブルの直線的な縁に沿って取り付けた状態を示す斜視図である。
【発明を実施するための形態】
【００２０】
以下本発明を実施の形態に係るポケットユニット１を示す図面に基づいて、説明する。図１はポケットユニット１を略示する表面図、図２はポケットユニット１を略示する裏面図、図３は図１のＩＩＩ−ＩＩＩ線を切断線とした断面図である。
【００２１】
ポケットユニット１は横長矩形のシート２を備える。シート２は、横長矩形状をなす第１シート部２１と、該第１シート部２１の裏側に設けられた横長矩形状をなす第２シート部２２とを備える。第２シート部２２の長手方向の寸法は、第１シート部２１の長手方向の寸法と略同じであり、第２シート部２２の長手方向に直交する方向の寸法は、第１シート部２１の長手方向に直交する寸法の約１／３程度である。第２シート部２２は、第１シート部２１の長手方向に延びた一縁部２１ａに沿って設けられており、第２シート部２２の長手方向に延びた一縁部２２ａは、第１シート部２１の一縁部２１ａに連なっている。第２シート部２２の一縁部２２ａの反対側に位置する他縁部２２ｂは、第１シート部２１の裏面に、例えば縫いつけによって、固定されている。
【００２２】
第１シート部２１及び第２シート部２２の一縁部２１ａ、２２ａの長手方向中央部分に、平面視Ｖ形状をなす切欠２１ｃが設けられている。切欠２１ｃを構成する二つの辺２１ｄ、２１ｄの寸法は略同じであり、尖端において二つの辺２１ｄ、２１ｄは略直角に交わっている。
【００２３】
第１シート部２１の一縁部２１ａの反対側に位置する他縁部２１ｂと、前記一縁部２１ａ及び他縁部２１ｂに略直角な第１シート部２１の二つの側縁部２１ｅ、２１ｅとは、裏側に折り返された折り返し部２１ｆをそれぞれ有する。折り返し部２１ｆは、第１シート部２１の裏面に、例えば縫いつけによって固定されている。前記側縁部２１ｅの折り返し部２１ｆは第２シート部２２よりも表側に位置している。換言すれば、第１シート部２１及び第２シート部２２は、側縁部２１ｅにおいて、折り返し部２１ｆの一部を挟んでいる。
【００２４】
図１に示すように、第１シート部２１の表面に横長矩形のメッシュシート２３が設けられている。メッシュシート２３は、例えばハニカム形状又は菱形形状等を有する。メッシュシート２３は第１シート部２１の長手方向に延びており、メッシュシート２３の長手方向に直交する方向の寸法は、第１シート部２１の約半分程度である。メッシュシート２３は第１シート部２１の他縁部２１ｂ側に設けられている。メッシュシート２３の長手方向に延びた第１長手縁部２３ｄは、第１シート部２１の長手方向に直交する方向における中央部分に位置する。
【００２５】
第１長手縁部２３ｄの反対側に位置するメッシュシート２３の第２長手縁部２３ｅと、第１長手縁部２３ｄ及び第２長手縁部２３ｅに略直角なメッシュシート２３の第１側縁部２３ｂ及び第２側縁部２３ｃとは、裏側に折り返されたメッシュ折り返し部２３ａをそれぞれ有する。メッシュ折り返し部２３ａは折り返し部２１ｆの裏側に位置し、例えば縫いつけによって、折り返し部２１ｆに固定されている。図２に示すように、折り返し部２１ｆ上において、メッシュ折り返し部２３ａと第２シート部２２とは、第２シート部２２の長手方向に直交する方向において、離隔している。
【００２６】
第１シート部２１の表側において、第１シート部２１及びメッシュシート２３を連結する三つの仕切り２４、２４、２４が長手方向に並設されている。例えば仕切り２４は、長手方向に直交する方向に延びたステッチによって形成される。三つの仕切り２４、２４、２４によって、メッシュシート２３及び第１シート部２１の間に設けられた空間を用いた四つのポケット２５、２５、２５、２５が形成されている。
【００２７】
第２シート部２２の裏面には、二つの係止部２６、２６が、切欠２１ｃの両側それぞれに設けられている。係止部２６は例えば、吸着性又は粘着性を有するシートによって構成されている。係止部２６は、切欠２１ｃの辺２１ｄに沿った斜辺２６ａと、該斜辺２６ａの各端部に連なり、第２シート部２２の長手方向に延びた二つの長辺２６ｂ、２６ｃと、該二つの長辺２６ｂ、２６ｃに直交する短辺２６ｄとを有する台形状をなす。
【００２８】
二つの係止部２６、２６は離隔しており、第２シート部２２の裏面における切欠２１ｃの尖端部分２１ｇ及び該尖端部分２１ｇの周囲には、係止部２６は設けられていない。換言すれば、第２シート部２２の裏面における切欠２１ｃの尖端部分２１ｇには、係止部２６を配置しない非配置領域２２ｄが設けられている。
【００２９】
尖端部分２１ｇと、他縁部２１ｂとの間に、ステッチ２７が形成されている。ステッチ２７は他縁部２１ｂに対して略直角に形成されている。第１シート部２１及び第２シート部２２の長手方向において、ステッチ２７付近を除いて、係止部２６が設けられている。ポケットユニット１の係止部２６が設けられている部分は、ステッチ２７付近に比べて厚みが大きいので、曲げにくい。一方、ポケットユニット１のステッチ２７付近の領域（以下、縦折り曲げ領域３０とも称する）には係止部２６が設けられておらず、係止部２６を設けた部分に比べて薄いので曲げやすい。換言すれば、尖端部分２１ｇと、他縁部２１ｂとの間にて、他縁部２１ｂに略直角な方向に延びた縦折り曲げ領域３０において、シート２は折り曲げ可能に構成されている。
【００３０】
また前述したように、折り返し部２１ｆ上において、メッシュ折り返し部２３ａと第２シート部２２とは、第２シート部２２の長手方向に直交する方向に離隔しており、メッシュ折り返し部２３ａと第２シート部２２との間の領域（以下、横折り曲げ領域３１とも称する）には、メッシュシート２３及び係止部２６が設けられていないので、メッシュシート２３又は係止部２６を設けた部分に比べて薄く、曲げやすい。換言すれば、メッシュ折り返し部２３ａと第２シート部２２との間にて、第２シート部２２の長手方向に延びた横折り曲げ領域３１おいて、シート２は折り曲げ可能に構成されている。
【００３１】
図４は、ポケットユニット１をテーブル４０の角に取り付けた状態を示す斜視図である。テーブル４０は平面視矩形状をなす。例えばユーザはポケットユニット１の裏面をテーブル４０に向け、縦折り曲げ領域３０をテーブル４０の角に配置し、テーブル４０の角に沿ってポケットユニット１を折り曲げ、また横折り曲げ領域３１をテーブル４０の縁に配置し、係止部２６がテーブル４０上面に重なるように、テーブル４０の縁に沿ってポケットユニット１を折り曲げる。ユーザは切欠２１ｃの二つの辺２１ｄ、２１ｄをテーブル４０の角にて突き合わせて、二つの辺２１ｄ、２１ｄを一致させることができる。ポケット２５はテーブル４０から垂下する。
【００３２】
係止部２６はテーブル４０に係止し、ポケットユニット１はテーブル４０の角部分に取り付けられる。各ポケット２５には、例えば携帯電話、眼鏡ケース、リモートコントローラ、薬袋等を収容することができる。なおテーブル４０以外の物体、例えばデスクにポケットユニット１を設けることもできる。
【００３３】
上述したポケットユニット１にあっては、シート２の一縁部２１ａ、２２ａにＶ形状の切欠２１ｃを形成し、切欠２１ｃの尖端部分２１ｇと他縁部２１ｂとの間において、シート２が折り曲げ可能に構成されている。そのため、例えばテーブル４０の角に沿ってシート２を折り曲げ、係止部２６をテーブル４０の上面に係止させて、ポケットユニット１をテーブル４０に装着させることができる。ユーザは、必要に応じて、テーブル４０の角にポケット２５を設けることができる。
【００３４】
またシート２の裏面において、切欠２１ｃの尖端部分２１ｇに係止部２６を非配置とする領域を設けている。係止部２６を設けた部分は厚くなり、シート２を折り曲げ難くなるが、係止部２６を非配置とする領域では、シート２は薄く、折り曲げ易くなり、テーブル４０の角にポケットユニット１を設け易くすることができる。
【００３５】
またＶ形状の切欠２１ｃを形成する二つの辺２１ｄ、２１ｄの寸法が等しいので、テーブル４０又はデスク等の上面に係止部２６を係止させる場合に、二つの辺２１ｄ、２１ｄを突き合わせて略一致させ、テーブル４０又はデスク等にポケットユニット１を隙間無く配置させることができる。
【００３６】
また矩形状をなす多数のテーブル４０又はデスク等が販売されているところ、Ｖ形状の切欠２１ｃの二つの辺２１ｄ、２１ｄが直角を形成することによって、二つの辺２１ｄ、２１ｄを突き合わせて、テーブル４０又はデスク等の上面に係止部２６を係止させた場合に、ポケットユニット１全体をテーブル４０又はデスク等の角に対応するように、直角に折り曲げて配置させることができる。
【００３７】
またポケット２５の表面部をメッシュ状に構成することによって、ポケット２５は、収容された物体の寸法に応じて伸縮するので、ポケット２５が伸縮しない場合に比べて、より大きな物体を収容することができる。またポケット２５に収容された物をユーザは視認することができる。
【００３８】
なおポケットユニット１は、テーブル４０又はデスク等の角以外の部分に取り付けることもできる。図５は、ポケットユニット１をテーブル４０の直線的な縁に沿って取り付けた状態を示す斜視図である。例えばユーザはポケットユニット１の裏面をテーブル４０に向け、横折り曲げ領域３１をテーブル４０の直線的な縁に配置し、係止部２６がテーブル４０上面に重なるように、テーブル４０の縁に沿ってポケットユニット１を折り曲げる。ポケット２５はテーブル４０から垂下する。係止部２６はテーブル４０に係止し、ポケットユニット１はテーブル４０の直線的な縁部分に取り付けられる。ユーザは必要に応じて、テーブル４０の角又は直線的な縁部分のいずれかに、ポケットユニット１を取り付けることができる。
【００３９】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４０】
１  ポケットユニット
２  シート
２１  第１シート部
２１ａ  一縁部
２１ｂ  他縁部
２１ｃ  切欠
２１ｄ  辺
２１ｇ  尖端部分
２２  第２シート部
２２ａ  一縁部
２２ｂ  他縁部
２２ｄ  非配置領域
２３  メッシュシート
２５  ポケット
２６  係止部
【図１】
2018086081.tif 000003
【図２】
2018086081.tif 000004
【図３】
2018086081.tif 000005
【図４】
2018086081.tif 000006
【図５】
2018086081.tif 000007